(57)【要約】【課題】  主制御盤に対して追加制御盤を連結して取り付けることができ、追加制御盤の扉を閉めなければ主制御盤の扉を閉めることができない連結式制御盤を提供する。【解決手段】  主制御盤本体と、主制御盤本体の前面で開閉する主扉と、を有する主制御盤と、主制御盤に連結して取り付ける追加制御盤本体と、追加制御盤本体の前面を開閉する追加扉と、を有する追加制御盤と、を備え、追加制御盤は、主制御盤に連結して追加扉を開放した状態では主扉の閉鎖を妨げるように主扉に当接する制限部を有する制限装置を有し、制限装置は、追加扉を閉鎖することで制限部を所定方向に移動させる移動機構を備え、移動機構は、追加扉の開放時に制限部を所定方向と反対方向に付勢する付勢部材を有し、主扉は、追加扉を閉鎖した状態の制限部の位置に開口部を有している。【選択図】  図１
2020022266.tif 000002
【特許請求の範囲】
【請求項１】
主制御盤本体と、前記主制御盤本体の前面で開閉する主扉と、を有する主制御盤と、
前記主制御盤に連結して取り付ける追加制御盤本体と、前記追加制御盤本体の前面で開閉する追加扉と、を有する追加制御盤と、を備え、
前記追加制御盤は、前記主制御盤に連結して前記追加扉を開放した状態では前記主扉の閉鎖を妨げるように該主扉に当接する制限部を有する制限装置を有し、
前記制限装置は、前記追加扉を閉鎖することで前記制限部を所定方向に移動させる移動機構を備え、
前記移動機構は、前記追加扉の開放時に前記制限部を前記所定方向と反対方向に付勢する付勢部材を有し、
前記主扉は、前記追加扉を閉鎖した状態の前記制限部の位置に開口部を有している、
ことを特徴とする連結式制御盤。
【請求項２】
前記移動機構は、前記追加制御盤本体に備えられ、前記制限部を有するスライド部材と、前記追加扉に備えられた当接部と、を備え、
前記スライド部材は、前記当接部と当接する傾斜部を有し、
前記傾斜部は、前記追加扉を閉めることで、前記当接部が前記スライド部材を前記所定方向に移動させるように構成されている、
請求項１に記載の連結式制御盤。
【請求項３】
前記当接部は、前記傾斜部に当接して回転する回転ローラで構成されている、
請求項２に記載の連結式制御盤。
【請求項４】
前記スライド部材は、前記所定方向に延びる長孔を有し、該スライド部材は該長孔に沿って移動可能な状態で取付部材によって前記追加制御盤本体に取り付けられており、
前記付勢部材は、前記スライド部材を前記長孔の端部に前記取付部材が当接するように付勢するバネ部材で構成されている、
請求項２又は３に記載の連結式制御盤。
【請求項５】
前記主制御盤と前記追加制御盤とは、左右方向に連結されており、
前記主扉と前記追加扉とは、左右方向の連結部分において前方に向けて開閉可能に構成されている、
請求項１〜４のいずれか１項に記載の連結式制御盤。
【請求項６】
前記主制御盤と前記追加制御盤とは、上下方向に連結されており、
前記主扉と前記追加扉とは、上下方向の連結部分において前方に向けて開閉可能に構成されている、
請求項１〜４のいずれか１項に記載の連結式制御盤。
【発明の詳細な説明】
【技術分野】
【０００１】
本発明は、主制御盤に追加制御盤を連結する構成の連結式制御盤に関する。
【背景技術】
【０００２】
従来、各種機械には、各部を制御する制御盤が備えられている。この制御盤には、電源ブレーカ（遮断機）を切った状態でなければ扉を開放することができない構造となったものがある。このような制御盤は、扉を閉めなければ電源ブレーカを入れることができない。例えば、この種の制御盤として、図１３の平面図と図１４の正面図に示すような制御盤１００がある。この制御盤１００は、制御盤本体１０１の前面に扉１０２が設けられている。扉１０２は、図の右側に設けられた支持部１０３（例えば、蝶番）を支点にして左側を前方に向けて開放することができる（図示する二点鎖線）。電源ブレーカは、制御盤本体１０１の外部から入れること及び切ることができる。
【０００３】
この種の制御盤において、扉の開閉動作に伴うスペースが制限される場所に設置される制御盤として、観音開きの扉を備えた制御盤がある。そして、観音開きの扉を備えた制御盤において、副扉を閉めた後でなければ主扉が閉められないものがある。例えば、主扉を先に閉めようとすると邪魔板に当接して閉めることができず、副扉を先に閉めることで邪魔板が起立して主扉が閉められるものがある（例えば、特許文献１参照）。
【０００４】
また、他の先行技術として、主扉を先に閉めようとしても係止金具の前面に揺動プレートの先端部が位置して閉めることができず、副扉を閉めることで揺動プレートの先端部が係止金具の前面から上方へ移動し、これにより主扉を閉じて係止金具と係合できるものがある（例えば、特許文献２参照）。
【先行技術文献】
【特許文献】
【０００５】
【特許文献１】特開２００３−１２９７２５号公報
【特許文献２】特開２００３−２７３５３７号公報
【発明の概要】
【発明が解決しようとする課題】
【０００６】
ところで、この種の制御盤には、基本機能を制御する制御盤に対して追加機能を制御する追加制御盤を連結するものがある。例えば、基本機能を制御する制御盤に対して、追加機能として防爆仕様の制御機能を有する追加制御盤を連結するようなものがある。
【０００７】
しかし、上記した先行技術は、いずれも１つの制御盤における観音開きの扉を前方に向けて開閉する構成を対象とした技術である。そのため、２つの制御盤を連結することで扉が観音開きになる構成や、２つの扉が上下方向に並んだ構成の制御盤には適用できない。
【０００８】
そこで、本発明は、主制御盤に対して追加制御盤を連結して取り付けることができ、追加制御盤の扉を閉めなければ主制御盤の扉を閉めることができない連結式制御盤を提供することを目的とする。
【課題を解決するための手段】
【０００９】
上記目的を達成するために、本発明に係る連結式制御盤は、主制御盤本体と、前記主制御盤本体の前面で開閉する主扉と、を有する主制御盤と、前記主制御盤に連結して取り付ける追加制御盤本体と、前記追加制御盤本体の前面で開閉する追加扉と、を有する追加制御盤と、を備え、前記追加制御盤は、前記主制御盤に連結して前記追加扉を開放した状態では前記主扉の閉鎖を妨げるように該主扉に当接する制限部を有する制限装置を有し、前記制限装置は、前記追加扉を閉鎖することで前記制限部を所定方向に移動させる移動機構を備え、前記移動機構は、前記追加扉の開放時に前記制限部を前記所定方向と反対方向に付勢する付勢部材を有し、前記主扉は、前記追加扉を閉鎖した状態の前記制限部の位置に開口部を有している。
【００１０】
この構成により、主制御盤に追加制御盤を連結して追加制御盤の追加扉を開放した状態では、制限装置の制限部が移動機構の付勢部材によって主扉と当接する位置にあり、主扉を閉鎖しようとしても主扉が制限部に当接して閉めることができない。そして、追加扉を閉めることで移動機構が付勢部材の付勢力に抗して制限部を所定方向に移動させるので、主扉を閉鎖したときに制限部が開口部の位置となっており、主扉は制限部に当接することなく閉めることができる。
【００１１】
また、前記移動機構は、前記追加制御盤本体に備えられ、前記制限部を有するスライド部材と、前記追加扉に備えられた当接部と、を備え、前記スライド部材は、前記当接部と当接する傾斜部を有し、前記傾斜部は、前記追加扉を閉めることで、前記当接部が前記スライド部材を前記所定方向に移動させるように構成されていてもよい。
【００１２】
このように構成すれば、追加扉を閉めることで、追加扉の当接部がスライド部材の傾斜部に当接し、追加扉をさらに閉めることで当接部に当接している傾斜部がスライド部材をスライドさせる。よって、スライド部材に備えられた制限部がスライド部材のスライド方向に移動する。これにより、制限部を主扉の開口部の位置に移動させることができる。
【００１３】
また、前記当接部は、前記傾斜部に当接して回転する回転ローラで構成されていてもよい。
【００１４】
このように構成すれば、追加扉を閉めることで、スライド部材の傾斜部に当接した回転ローラが回転し、小さな力でスライド部材を所定方向にスライドさせることができる。
【００１５】
また、前記スライド部材は、前記所定方向に延びる長孔を有し、該スライド部材は該長孔に沿って移動可能な状態で取付部材によって前記追加制御盤本体に取り付けられており、前記付勢部材は、前記スライド部材を前記長孔の端部に前記取付部材が当接するように付勢するバネ部材で構成されていてもよい。バネ部材は、引張バネ、圧縮ばね、板バネなどを用いることができる。
【００１６】
このように構成すれば、取付部材で追加制御盤本体に取り付けられているスライド部材は、長孔に沿って移動可能な状態となっており、スライド部材はバネ部材の付勢力で長孔の端部が取付部材に当接した状態となっている。よって、当接部が主扉と当接する位置に移動させることをバネ部材で安定して保つことができる。
【００１７】
また、前記主制御盤と前記追加制御盤とは、左右方向に連結されており、前記主扉と前記追加扉とは、左右方向の連結部分において前方に向けて開閉可能に構成されていてもよい。このように構成すれば、主扉と追加扉とが連結部分で前方に向けて観音開きとなる構成において、追加扉を閉めなければ主扉を閉められないようにできる。
【００１８】
また、前記主制御盤と前記追加制御盤とは、上下方向に連結されており、前記主扉と前記追加扉とは、上下方向の連結部分において前方に向けて開閉可能に構成されていてもよい。このように構成すれば、主扉と追加扉とが上下方向に並んでそれぞれ前方に向けて開閉される構成において、追加扉を閉めなければ主扉を閉められないようにできる。
【発明の効果】
【００１９】
本発明によれば、主制御盤に対して追加制御盤を連結して取り付ける連結式制御盤において、追加制御盤の扉を閉めなければ主制御盤の扉を閉められないように構成することが可能となる。
【図面の簡単な説明】
【００２０】
【図１】図１は、本発明の一実施形態に係る連結式制御盤を示す平面図である。
【図２】図２は、図１に示す連結式制御盤の正面図である。
【図３】図３は、図２に示す追加制御盤に備えられた制限装置を示す斜視図である。
【図４】図４は、図３に示すスライド部材の正面図である。
【図５】図５は、図４に示すスライド部材のV矢視図である。
【図６】図６は、図２に示す主制御盤の主扉の一部を追加制御盤の方向から見た側面図である。
【図７】図７は、図３に示す制限装置を動作させる追加制御盤の追加扉の一部を示す断面図である。
【図８】図８は、図７に示すVIII−VIII断面図である。
【図９】図９は、図３に示すスライド部材の動作状態を示す拡大側面図である。
【図１０】図１０は、図９に示すスライド部材の動作前を示す図面であり、（Ａ）は正面図、（Ｂ）は側面図である。
【図１１】図１１は、図９に示すスライド部材の動作後を示す図面であり、（Ａ）は正面図、（Ｂ）は側面図である。
【図１２】図１２は、主制御盤と追加制御盤の他の構成例を示す図面である。
【図１３】図１３は、制御盤の外観を示す平面図である。
【図１４】図１４は、図１３に示す制御盤を示す正面図である。
【発明を実施するための形態】
【００２１】
以下、本発明の実施形態を図面に基づいて説明する。以下の実施形態では、主制御盤１０と追加制御盤２０とが左右方向に連結された例を主に説明する。この明細書及び特許請求の範囲の書類中における上下左右方向の概念は、図２に示す連結式制御盤１に向かった状態における上下左右方向の概念と一致するものとする。また、図２に示すように連結式制御盤１に向かった状態で、手前側を前方とする。
【００２２】
（連結式制御盤の構成）
図１は、一実施形態に係る連結式制御盤１を示す平面図である。図２は、図１に示す連結式制御盤１の正面図である。この実施形態の連結式制御盤１は、主制御盤１０に対して追加制御盤２０が左方向に連結されている。主制御盤１０は、例えば、上述した制御盤１００と同様の構成でもよい。主制御盤１０の主制御盤本体１１と追加制御盤２０の追加制御盤本体２１とは、例えば、ボルト・ナットなどで連結されて取り付けられる。また、主制御盤本体１１と追加制御盤本体２１との間は、各制御配線の連結コネクタ（図示略）なども連結される。
【００２３】
主制御盤１０の主制御盤本体１１には、電源を遮断する遮断機（図示略）が備えられている。主制御盤本体１１の前面には、遮断機を遮断することで開放することができる主扉１２が備えられている。主扉１２は、右端部に設けられた支持部１３（例えば、蝶番）で支持されており、取手１４を持って左側を前方に向けて開放することができる（図示する二点鎖線）。
【００２４】
追加制御盤２０の追加制御盤本体２１には、追加制御盤本体２１の前面を開閉する追加扉２２が備えられている。追加扉２２は、左端部に設けられた支持部２３（例えば、蝶番）で支持されており、取手２４を持って右側を前方に向けて開放することができる（図示する二点鎖線）。
【００２５】
このように、主扉１２と追加扉２２とは、連結部分において前方に向けて開閉可能に構成されている。すなわち、連結された状態で、主扉１２と追加扉２２とは連結部部分で観音開きとなっている。
【００２６】
そして、追加制御盤２０には、主制御盤１０に連結した状態で、追加扉２２を開放した状態では主扉１２が閉鎖できないようにする制限装置３０が備えられている。この制限装置３０により、追加扉２２を閉めなければ、主扉１２を閉めて主制御盤本体１１に備えられた遮断機を入れることができない構成となっている。
【００２７】
（制限装置の構成）
図３は、図２に示す追加制御盤２０に備えられた制限装置３０を示す斜視図である。図４は、図３に示すスライド部材３３の正面図である。図５は、図４に示すスライド部材３３のV矢視図である。図６は、図２に示す主制御盤１０の主扉１２の一部を追加制御盤２０の方向から見た側面図である。図７は、図３に示す制限装置３０を動作させる追加制御盤２０の追加扉２２の一部を示す断面図である。図８は、図７に示すVIII−VIII断面図である。
【００２８】
図３に示すように、追加制御盤２０の追加制御盤本体２１には、追加扉２２を開放した状態では主制御盤１０の主扉１２の閉鎖を妨げるように主扉１２に当接する制限部３２を有する制限装置３０が備えられている。制限装置３０は、追加扉２２を閉鎖することで制限部３２を所定方向Ｍに移動させる移動機構３１を備えている。
【００２９】
移動機構３１は、追加制御盤本体２１に備えられている。移動機構３１は、制限部３２を有するスライド部材３３と、追加扉２２に備えられた当接部５０（図７）とを備えている。また、追加制御盤本体２１には、スライド部材３３の前面をガイドするように固定部材６０が設けられている。固定部材６０は、ビス６１で追加制御盤本体２１に固定されている。
【００３０】
図４，５に示すように、スライド部材３３は、Ｕ字状に折り曲げられた板状の部材であり、折り曲げられた一方には前方に突出する制限部３２が設けられ、他方には前方に突出する傾斜部３４が設けられている。スライド部材３３は、折り曲げられた中間部分が追加制御盤本体２１に沿ってスライドする平面状のスライド部３５となっている。スライド部３５には、長手方向に長孔３６が設けられている。長孔３６は、スライド部材３３が所定方向Ｍ（図３）にスライドするときのガイドとなる。
【００３１】
制限部３２は、スライド部材３３の折り曲げられた一方（右方）に設けられており、スライド部３５から前方に所定高さＨ１で突出した後、主制御盤１０の方向（右方向）に延びるように形成されている。主制御盤１０の方向に延びた部分の端部は、後方に折り曲げられている。
【００３２】
図６に示すように、主扉１２には、追加制御盤２０と近接する左辺の上下方向（所定方向Ｍ）の所定位置に、前後方向に所定深さＨ２の開口部１５が設けられている。開口部１５は、追加扉２２を閉鎖したときの制限部３２の位置に設けられている。開口部１５の幅寸法Ｗ２は、制限部３２の幅寸法Ｗ１よりも小大きくなっている。
【００３３】
図４，５示すように、制限部３２の所定高さＨ１は、主扉１２に設けられた開口部１５の所定深さＨ２との関係で設定される。すなわち、制限部３２を突出させる所定高さＨ１は、主扉１２を閉じたときに開口部１５に当接しない関係の「Ｈ２＞Ｈ１」に設定される。所定高さＨ１は、主扉１２を閉めることができない高さであればよい。また、制限部３２の幅寸法Ｗ１は、主扉１２を閉じたときに開口部１５に当接しない関係の「Ｗ２＞Ｗ１」に設定される。
【００３４】
傾斜部３４は、スライド部材３３の折り曲げられた他方（左方）に設けられている。傾斜部３４は、一端（上端）が前方に向けて突出し、長手方向に傾斜して形成されている。傾斜角度は、例えば、４０°〜５０°程度にできる。傾斜部３４は追加扉２２を閉めることで、当接部５０が傾斜部３４を移動させてスライド部材３３を所定方向Ｍに移動させるようになっている。
【００３５】
図３に示すように、スライド部材３３は、長孔３６に沿って所定方向Ｍ（上下方向）に移動可能な状態で取付部材３７によって追加制御盤本体２１に取り付けられている。この例では、スライド部材３３の長孔３６にスライド部３５の厚みよりも僅かに高い樹脂ブッシュ（図示略）が入れられ、その樹脂ブッシュの前面側に設けられたガイドリング３８を介して取付部材３７で追加制御盤本体２１に取り付けられている。これにより、スライド部材３３のスライド部３５は、追加制御盤本体２１の前面で上下方向に移動可能な状態で取り付けられている。
【００３６】
スライド部材３３の下部は、追加制御盤本体２１に設けられた固定部材６０のガイド部６２が前方に設けられており、スライド部３５が所定方向Ｍにスライドするときに下部の前面がガイドされる。
【００３７】
また、移動機構３１は、追加扉２２の開放時に制限部３２が所定方向Ｍと反対方向に移動するようにスライド部材３３を付勢する付勢部材４０を有している。付勢部材４０は、バネ部材４１で構成されており、この実施形態では引張バネが用いられている。バネ部材４１は、傾斜部３４と同様に前方に向けて折り曲げられた第１係合部３９の孔に一端が係合され、他端は固定部材６０に設けられた第２係合部６３の孔に係合されている。これにより、スライド部材３３は、バネ部材４１によって下方に向けて付勢され、長孔３６の端部（上端部）が取付部材３７に当接した状態となっている。バネ部材４１は、圧縮ばね、板バネなどを用いることができる。
【００３８】
スライド部材３３は、このような構成により、取付部材３７で追加制御盤本体２１に取り付けられた状態で、長孔３６に沿って所定方向Ｍ（上下方向）に移動可能となっており、スライド部材３３はバネ部材４１の付勢力で長孔３６の上端部が取付部材３７に当接した状態となっている。よって、制限部３２は、バネ部材４１によって主扉１２と当接する位置に移動させられた状態を安定して保つことができる。
【００３９】
図７，８に示すように、当接部５０は、追加扉２２の内面（後面）に設けられている。当接部５０は、傾斜部３４に当接して回転する回転ローラ５１で構成されている。当接部５０を回転ローラ５１とすることで、傾斜部３４に当接した後に回転して傾斜部３４との摩擦を小さくできる。これにより、小さな力でスライド部材３３を所定方向Ｍにスライドさせることができる。回転ローラ５１は、中心に設けられた支持軸５２がブラケット５３に支持され、ブラケット５３が追加扉２２に固定されている。回転ローラ５１は、追加扉２２を閉めることでスライド部材３３の傾斜部３４に当接する位置に設けられている。
【００４０】
（スライド部材の動作説明）
図９は、図３に示すスライド部材３３の動作状態を示す拡大側面図である。図１０は、図９に示すスライド部材３３の動作前を示す図面であり、（Ａ）は正面図、（Ｂ）は側面図である。図１１は、図９に示すスライド部材３３の動作後を示す図面であり、（Ａ）は正面図、（Ｂ）は側面図である。なお、図９、図１０では、主扉１２と開口部１５を側面視の二点鎖線で示している。
【００４１】
図９に示すように、上記制限装置３０によれば、追加制御盤２０の追加扉２２を開放した状態では、制限装置３０のスライド部材３３に設けられた制限部３２が移動機構３１のバネ部材４１（付勢部材）によって下方に付勢させられた状態となる。
【００４２】
そして、追加扉２２を閉めることで、追加扉２２の回転ローラ５１（当接部）がスライド部材３３の傾斜部３４に当接する（実線の状態）。そして、追加扉２２をさらに閉めることで傾斜部３４が回転ローラ５１に沿って移動し（二点鎖線の状態）、スライド部材３３を上方にスライドさせる。
【００４３】
すなわち、図１０（Ａ）、（Ｂ）に示すように、追加扉２２が開放した状態では、制限装置３０のスライド部材３３はバネ部材４１によって下方に向けて付勢されている。このため、スライド部材３３に設けられた制限部３２も下方に位置し、主扉１２を閉じようとしても主扉１２が制限部３２に当接して閉じることができない。
【００４４】
この状態から追加扉２２を閉めることで、図１１（Ａ）、（Ｂ）に示すように、移動機構３１がバネ部材４１の付勢力に抗してスライド部材３３を上方（所定方向）に移動させる。これにより、スライド部材３３に備えられた制限部３２も上方に移動する。この例では、制限部３２を移動量Ｖで移動させている。このため、制限部３２を主扉１２の開口部１５の位置に移動させることができる。よって、主扉１２を閉鎖したときには制限部３２が開口部１５の位置にあり、制限部３２が主扉１２に当接することなく閉めることが可能となる。
【００４５】
（その他の変形例）
図１２は、主制御盤１０と追加制御盤２０との他の連結構成を示す図面である。この例は、主制御盤１０と追加制御盤２０とが上下方向に連結された例である。この例では、上記した図３に示す制限装置３０の上部を９０°横向きにして取り付けた例として説明する。なお、上記実施形態と同一の構成には同一符号を付し、その説明は省略する。この例では、主制御盤１０の主扉１２、及び追加制御盤２０の追加扉２２のいずれもが、右側の支持部１３，２３を支点にして左側を前方に向けて開放することができる。
【００４６】
このように主制御盤１０と追加制御盤２０とが上下方向に連結される場合、制限装置３０は、主制御盤本体１１の下辺と連結される追加制御盤本体２１の上辺に設けられる。また、この場合、主制御盤１０の主扉１２に設けられる開口部１５は、主扉１２の下辺の所定位置に設けられる。この制限装置３０の移動機構３１は、スライド部材３３を左右方向（所定方向）にスライドさせるように取り付けられる。
【００４７】
図示する例によれば、追加扉２２を閉めることで回転ローラ５１によってスライド部材３３が左方向にスライドさせられる。これにより、スライド部材３３の制限部３２が、主扉１２の開口部１５の位置に移動させられる（図１１と同様）。よって、追加扉２２を閉めることで、主扉１２が制限部３２に当接することなく閉めることが可能となる。
【００４８】
このように、上記制限装置３０によれば、スライド部材３３は付勢部材たるバネ部材４１によって常に主扉１２が制限部３２に当接する方向に付勢されている。このため、制限装置３０は、取り付けの向きに関係なく、追加扉２２を開けた状態では主扉１２を閉めようとしても主扉１２が制限部３２に当接して閉鎖を制限するようにできる。
【００４９】
なお、主制御盤１０と追加制御盤２０との連結は、上下の位置が逆でも同様に適用できる。また、主扉１２が左側を前方に向けて開放する構成で、追加扉２２が右側を前方に向けて開放する構成であっても適用できる。さらに、主扉１２が、上側に支持部１３が設けられて下側を前方に向けて開放する構成で、追加扉２２が下側に支持部２３が設けられて上側を前方に向けて開放する構成であっても適用できる。すなわち、主扉１２と追加扉２２とが、連結部分において前方に向けて開閉可能に構成されていれば適用できる。
【００５０】
このように、連結式制御盤１は、主扉１２と追加扉２２とが近接して連結された構成であれば、追加扉２２を閉めなければ主扉１２が閉鎖できないようにできる。よって、連結式制御盤１を設置するスペース、制御する機械との位置関係などに応じて、主制御盤１０と追加制御盤２０との連結位置を選択することが可能な連結式制御盤１を構成することができる。
【００５１】
（総括）
以上のように、上記した連結式制御盤１によれば、主制御盤１０の主扉１２に開口部１５を設けておけば、主制御盤１０のみで使用することが可能であり、追加制御盤２０を連結した場合には、追加制御盤２０の追加扉２２を閉めなければ主制御盤１０の主扉１２を閉められないように構成することが可能となる。よって、主制御盤１０に対して種々の機能を付加する追加制御盤２０を連結したとしても、追加扉２２を閉めなければ主扉１２を閉められないように構成することが可能となる。
【００５２】
また、制限装置３０のスライド部材３３がバネ部材４１（付勢部材４０）によって常に主扉１２を閉めることができない方向に付勢されているため、主扉１２及び追加扉２２の開放方向に関係なく、追加扉２２を閉めなければ主扉１２を閉められないように制限することが可能となる。
【００５３】
よって、主扉１２を閉めることで電源ブレーカを入れることができる主制御盤１０に追加制御盤２０を連結する構成の連結式制御盤１において、追加扉２２と主扉１２とを閉めなければ連結式制御盤１の電源を入れることができない構成にできる。
【００５４】
なお、上記した実施形態は一例を示しており、本発明の要旨を損なわない範囲での種々の変更は可能であり、本発明は上記した実施形態に限定されるものではない。
【符号の説明】
【００５５】
１  連結式制御盤
１０  主制御盤
１１  主制御盤本体
１２  主扉
１３  支持部
１５  開口部
２０  追加制御盤
２１  追加制御盤本体
２２  追加扉
２３  支持部
３０  制限装置
３１  移動機構
３２  制限部
３３  スライド部材
３４  傾斜部
３５  スライド部
３６  長孔
３７  取付部材
４０  付勢部材
４１  バネ部材（付勢部材）
５０  当接部
５１  回転ローラ
６０  固定部材
Ｍ  所定方向
【図１】
2020022266.tif 000003
【図２】
2020022266.tif 000004
【図３】
2020022266.tif 000005
【図４】
2020022266.tif 000006
【図５】
2020022266.tif 000007
【図６】
2020022266.tif 000008
【図７】
2020022266.tif 000009
【図８】
2020022266.tif 000010
【図９】
2020022266.tif 000011
【図１０】
2020022266.tif 000012
【図１１】
2020022266.tif 000013
【図１２】
2020022266.tif 000014
【図１３】
2020022266.tif 000015
【図１４】
2020022266.tif 000016